(57)【要約】【課題】省電力に寄与する使用状態をユーザーへ認識させる冷蔵庫を提供することを目的とする。【解決手段】所定条件の場合に使用者が認識するように表示する表示部と、該表示部へ表示指令を行う制御基板と、貯蔵室を開閉する開閉扉と、該開閉扉の開閉を検知する扉開閉スイッチと、該扉開閉スイッチより前記開閉扉の開時間又は閉時間を積算する手段若しくは開閉数を積算する手段と、を備え、該積算時間又は開閉数が所定値以下である場合、前記所定条件であるとして前記表示部を表示することを特徴とする。【選択図】  図１
2012047365.tif 000002
【特許請求の範囲】
【請求項１】
所定条件の場合に使用者が認識するように表示する表示部と、該表示部へ表示指令を行う制御基板と、貯蔵室を開閉する開閉扉と、該開閉扉の開閉を検知する扉開閉スイッチと、該扉開閉スイッチより前記開閉扉の開時間又は閉時間を積算する手段若しくは開閉数を積算する手段と、を備え、該積算時間又は開閉数が所定値以下である場合、前記所定条件であるとして前記表示部を表示することを特徴とする冷蔵庫。
【請求項２】
所定条件の場合に使用者が認識するように表示する表示部と、該表示部へ表示指令を行う制御基板と、圧縮機と、該圧縮機を制御する圧縮機制御用マイクロコンピューターと、該圧縮機制御用マイクロコンピューターへ回転数指令値を送信する手段と、を備え、該回転数指令値が所定値以下である場合、前記所定条件であるとして前記表示部を表示することを特徴とする冷蔵庫。
【請求項３】
所定条件の場合に使用者が認識するように表示する表示部と、該表示部へ表示指令を行う制御基板と、圧縮機と、該圧縮機と接続した冷却器と、該冷却器に生長した霜を溶かす霜取りヒータと、該霜取りヒータを制御する冷蔵庫制御用マイクロコンピューターと、貯蔵室へ冷気を送風する送風機と、を備え、前記圧縮機を停止した状態で前記霜取りヒータに通電せずに前記送風機を駆動して、前記冷却器に付着した霜のエネルギーで前記貯蔵室を冷却する霜冷却運転の場合、前記所定条件であるとして前記表示部を表示することを特徴とする冷蔵庫。
【発明の詳細な説明】
【技術分野】
【０００１】
本発明は、冷蔵庫に関する。
【背景技術】
【０００２】
本技術分野の背景技術として、特開平５−２６５６４号公報（特許文献１）がある。この公報には、圧縮機を用いた冷凍サイクルにおいて、圧縮機の運転時間を積算する手段と、扉の開数を積算する手段と、圧縮機運転時間と扉開閉頻度から霜取りのタイミングを選択する手段と、霜取り動作の制御値を決定する手段とを備えた構成が記載されている。
【先行技術文献】
【特許文献】
【０００３】
【特許文献１】特開平５−２６５６４号公報
【発明の概要】
【発明が解決しようとする課題】
【０００４】
特許文献１では、扉の開閉頻度の少ないタイミングを選択して冷却器の霜取りを行うものであるが、冷蔵庫の扉の開閉回数又は開時間が多い場合、貯蔵室の温度が上昇する。また、貯蔵室に高温の食品を収納した場合、圧縮機の回転数が増加する。すなわち、消費電力量が増加してしまう。
【０００５】
そこで本発明は、省電力に寄与する使用状態をユーザーへ認識させる冷蔵庫を提供することを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、所定条件の場合に使用者が認識するように表示する表示部と、該表示部へ表示指令を行う制御基板と、貯蔵室を開閉する開閉扉と、該開閉扉の開閉を検知する扉開閉スイッチと、該扉開閉スイッチより前記開閉扉の開時間又は閉時間を積算する手段若しくは開閉数を積算する手段と、を備え、該積算時間又は開閉数が所定値以下である場合、前記所定条件であるとして前記表示部を表示することを特徴とする。
【発明の効果】
【０００７】
本発明によれば、省電力に寄与する使用状態をユーザーへ認識させる冷蔵庫を提供することができる。
【図面の簡単な説明】
【０００８】
【図１】冷蔵庫の制御装置のブロック図である。
【図２】冷蔵庫の等角投影図（扉付き）である。
【図３】冷蔵庫の側断面図である。
【図４】冷蔵庫の等角投影図（扉無し）である。
【図５】操作基板の部品配置の説明図である。
【図６】圧縮機回転数による省電力運転表示に関するフローチャート図である。
【図７】扉開閉よる省電力運転表示に関するフローチャート図である。
【図８】霜冷却運転時の省電力運転表示に関するフローチャート図である。
【発明を実施するための形態】
【０００９】
本発明の実施形態について、図１〜図５を用いて説明する。冷蔵庫制御装置１は、制御基板１１と操作基板２から構成されている。双方の基板は、通信ケーブル７にて接続されており、情報のやり取りを行いながら、冷蔵庫の運転制御を行っている。制御基板１１には、圧縮機１２の回転数を制御する圧縮機制御用マイクロコンピューター１５と、開閉扉の開閉を検出する扉開閉スイッチ８と、開閉扉の開時間又は閉時間を積算する積算タイマー９と、を内蔵する冷蔵庫制御用マイクロコンピューター１０を搭載している。
【００１０】
圧縮機制御用マイクロコンピューター１５には、回転数指令を送信して圧縮機１２の制御を行っている。
【００１１】
操作基板２は、省電力運転表示３，操作用マイクロコンピューター４、短時間で食品を急激に冷却する運転入／切を行う急速冷却運転スイッチ６等で構成されている。
【００１２】
冷蔵庫は、図２及び図３において、外箱１６と、内箱１７と、外箱１６と内箱１７との間に充填した断熱材５を有する箱体１８で構成される。箱体１８前面には、各貯蔵室の開閉扉が設けられている。上から冷蔵室扉１９，製氷室扉２０及び冷凍室上段扉２１ａ，冷凍室下段扉２１ｂ，野菜室扉２２が配置されている。また、冷蔵庫上部には制御基板１１が設置されており、冷蔵室扉１９前面には操作基板２が設置されている。尚、各基板の配置場所についてはこれに限るものではない。
【００１３】
また、図４において、冷蔵室２４，冷凍室２５，野菜室２７には各開閉扉の開閉を検出する扉開閉スイッチ８が設置されている。
【００１４】
箱体１８内には、圧縮機１２と、この圧縮機１２と冷媒配管で接続した冷却器１３が設けられている。また、冷却器１３の下方には、冷却器１３に付着した霜を融解する霜取りヒータ１４が設けられている。また、冷却器１３の上方には冷却器１３で熱交換した冷気を貯蔵室へ送風する送風機２９が設置されている。
【００１５】
次に、操作基板２について説明する。図５において操作基板２は、各機能項目の表示を行う表示ＬＥＤ群２３と、該表示ＬＥＤ群２３の切り替えを行う複数の操作スイッチ２８と、急速冷却運転スイッチ６と、省電力運転表示３と、表示ＬＥＤ群２３及び省電力運転表示３へ指令を行う操作用マイクロコンピューター４を備えている。省電力運転表示３は、所定条件の場合に使用者が認識するように表示する表示部として機能する。
【００１６】
尚、本実施例の各部品の配置レイアウトは、これに制限されるものではない。また、表示ＬＥＤ群２３及び省電力運転表示３は、ＬＥＤで表示を行うものであっても、液晶で表示を行うものであってもよい。
【実施例１】
【００１７】
図６を用いて、圧縮機回転数による省電力運転表示に関して説明する。省電力状態の運転時に、ユーザーが操作基板２の急速冷却運転スイッチ６を押すことで（６−ａ）、冷蔵庫制御用マイクロコンピューター１０から圧縮機制御用マイクロコンピューター１５へ圧縮機１２の回転数指令を送信する（６−ｂ）。同時に、送信した回転数指令値が冷蔵庫制御用マイクロコンピューター１０内部で設定した回転数判定値以上（６−ｃ）であれば、省電力運転表示３を消灯する（６−ｄ）。
【００１８】
また、圧縮機制御用マイクロコンピューター１５は、受信した回転数指令（６−ｅ）をもとに圧縮機の回転数を増加する（６−ｆ）。その後、急速冷却運転が終了すると（６−ｇ）、省電力運転表示３を点灯に戻す。これにより、ユーザーへ消費電力が増加していることを報知することができる。
【００１９】
また、上記以外にも電源投入時や庫内高温時には、圧縮機１２の回転数は通常運転時より高くなる。この場合も上記と同様に、冷蔵庫制御用マイクロコンピューター１０から圧縮機制御用マイクロコンピューター１５へ圧縮機１２の回転数指令を送信して、同時に送信した回転数指令値が冷蔵庫制御用マイクロコンピューター１０内部で設定した回転数判定値以上であれば、省電力運転表示３を消灯する。その後、庫内温度が安定し、設定した回転数判定値以下となることで、省電力運転表示３は点灯する。これにより、ユーザーへ消費電力が増加していることを報知させることができる。
【実施例２】
【００２０】
次に、図７を用いて、扉開閉よる省電力運転表示に関して説明する。省電力状態の運転時に開閉扉を開けた場合（７−ａ）、扉開閉スイッチ８から開状態を検出する（７−ｂ）。開状態の検出信号は、制御基板１１の冷蔵庫制御用マイクロコンピューター１０に内蔵されている積算タイマー９に入力され、開閉扉の開時間の常時計測・積算を開始する（７−ｃ）。また、計測した時間データは、冷蔵庫制御用マイクロコンピューター１０にて取得・格納することができる（７−ｄ）。この開閉扉の開時間のデータを基に、扉開の積算時間が冷蔵庫制御用マイクロコンピューター１０内部で設定している判定値以上（７−ｅ）である場合は、省電力運転表示３を消灯する（７−ｆ）。その後、開閉扉が閉状態となった場合（７−ｇ）、冷蔵庫制御用マイクロコンピューター１０は開積算時間をｎ秒毎にＸ値ずつ減算する（７−ｈ）ことで、開積算時間が判定値未満となると通常運転状態と判断し、省電力運転表示３を点灯させる。これにより、使用状態が省電力の観点から相応しくないことを、ユーザーに報知させることができる。
【００２１】
尚、扉開閉スイッチ８の入力は、冷蔵庫制御用マイクロコンピューターに限るものではない。また、上記は開状態の計測・積算する例を挙げたが、閉時間の場合であってもよい。すなわち、開閉扉の開時間又は閉時間を積算する手段若しくは開閉数を積算する手段であればよい。
【実施例３】
【００２２】
次に、図８を用いて、霜冷却運転時の省電力運転表示に関する。省電力状態の運転時より霜冷却運転を開始されると（８−ａ）、圧縮機１２を停止した状態（８−ｂ）かつ庫内冷却ファン（図示せず）を駆動して冷気を循環している場合（８−ｃ）だと省電力運転表示３を点灯継続させる（８−ｄ）。その後、霜取りヒータ１４が通電された場合（８−ｅ）、省電力運転表示３は消灯する（８−ｆ）。消灯後、霜取りヒータ１４による除霜運転が終了（８−ｇ）すると通常運転となるため、省電力運転表示３は点灯する。
【００２３】
なお、霜冷却運転とは、圧縮機１２を停止した状態で霜取りヒータ１４に通電せずに送風機を駆動して、冷却器１３に付着した霜のエネルギーで貯蔵室を冷却する運転である。この運転では、霜取りヒータ１４の通電時間を短縮させることで、省電力性能の高い運転状態であることをユーザーに報知することができる。
【符号の説明】
【００２４】
１  冷蔵庫制御装置
２  操作基板
３  省電力運転表示（表示部）
４  操作用マイクロコンピューター
５  断熱材
６  急速冷却運転スイッチ
７  通信ケーブル
８  扉開閉スイッチ
９  積算タイマー
１０  冷蔵庫制御用マイクロコンピューター
１１  制御基板
１２  圧縮機
１３  冷却器
１４  霜取りヒータ
１５  圧縮機制御用マイクロコンピューター
１６  外箱
１７  内箱
１８  箱体
１９  冷蔵室扉
２０  製氷室扉
２１ａ  冷凍室上段扉
２１ｂ  冷凍室下段扉
２２  野菜室扉
２３  表示ＬＥＤ群
２４  冷蔵室
２５  冷凍室
２６  製氷室
２７  野菜室
２８  操作スイッチ
２９  送風機
【図１】
2012047365.tif 000003
【図２】
2012047365.tif 000004
【図３】
2012047365.tif 000005
【図４】
2012047365.tif 000006
【図５】
2012047365.tif 000007
【図６】
2012047365.tif 000008
【図７】
2012047365.tif 000009
【図８】
2012047365.tif 000010